(57)【要約】【課題】簡便に、電子ペンによる手書きストロークをプレゼンテーションのアプリケーション上に適切に表示させることが可能なファイルを提案する。【解決手段】ファイルは、資料を収納可能に構成された複数の袋部を有しており、複数の袋部は、収納される資料に記載された内容が透けて視認されるように構成されている。具体的には、複数の袋部は、プレゼンテーション用のアプリケーションで使用されるページに対応付けられたユニークなドットパターンが形成されている。ユーザは、このようなファイルを用いてプレゼンテーションを行うことで、簡便に、電子ペンによる手書きストロークをプレゼンアプリ上に適切に表示させることができる。【選択図】図１
2012098937.tif 000002
【特許請求の範囲】
【請求項１】
収納される用紙に記載された内容が透けて視認されるように構成された、複数の袋部を有するファイルであって、
前記複数の袋部は、プレゼンテーション用のアプリケーションで使用されるページに対応付けられた、それぞれで異なるコード化パターンが形成されていることを特徴とするファイル。
【請求項２】
前記用紙は、前記アプリケーションで使用される内容が印刷されており、
前記複数の袋部は、それぞれ、前記アプリケーションで使用されるページに対応する前記用紙が収納されて使用されることを特徴とする請求項１に記載のファイル。
【請求項３】
前記複数の袋部は、それぞれ、同じ方向を向く片側の面に前記コード化パターンが形成されており、１枚の前記用紙が収納されて使用されることを特徴とする請求項１又は２に記載のファイル。
【請求項４】
前記複数の袋部は、それぞれ、両側の面に前記コード化パターンが形成されており、２枚の前記用紙が収納されて使用されることを特徴とする請求項１又は２に記載のファイル。
【請求項５】
前記複数の袋部は、表面が透明ニスでコーティングされていることを特徴とする請求項１乃至４のいずれか一項に記載のファイル。
【請求項６】
請求項１乃至５のいずれか一項に記載のファイルと、
前記ファイルが有する前記袋部に形成された前記コード化パターンを読取り、手書きストロークに関する記入情報を生成する電子ペンと、
前記プレゼンテーション用のアプリケーションを実行すると共に、前記電子ペンから前記記入情報を受信して、当該記入情報に対応する前記手書きストロークを前記アプリケーション上に表示させる処理手段を有するコンピュータ装置と、を備えることを特徴とするストローク表示システム。
【請求項７】
前記コンピュータ装置は、
前記アプリケーションで使用されるページの番号と、前記袋部に形成された前記コード化パターンとを対応付けたデータを記憶する記憶手段を備え、
前記処理手段は、前記記憶手段が記憶する前記データに基づいて、前記手書きストロークを前記アプリケーション上に表示させることを特徴とする請求項６に記載のストローク表示システム。
【請求項８】
前記コンピュータ装置は、
前記記憶手段が記憶する前記データに基づいて、前記アプリケーションで使用されるページの中で、前記電子ペンによる記入が行われたページを認識するページ認識手段と、
前記ページ認識手段が認識したページが表示されているか否かを判定するページ判定手段と、
前記ページ認識手段が認識したページが表示されていないと前記ページ判定手段が判定した場合に、表示させるページを、前記ページ認識手段が認識したページに切り替えるページ切り替え手段と、を備えることを特徴とする請求項７に記載のストローク表示システム。
【請求項９】
請求項１乃至５のいずれか一項に記載のファイルと、前記ファイルが有する前記袋部に形成された前記コード化パターンを読取り、手書きストロークに関する記入情報を生成する電子ペンと、コンピュータ装置と、を備えるストローク表示システムにおいて、前記コンピュータ装置により実行されるプログラムであって、
前記コンピュータ装置を、
前記プレゼンテーション用のアプリケーションを実行すると共に、前記電子ペンから前記記入情報を受信して、当該記入情報に対応する前記手書きストロークを前記アプリケーション上に表示させる処理手段、として機能させることを特徴とするプログラム。
【請求項１０】
前記アプリケーションで使用されるページの番号と、前記袋部に形成された前記コード化パターンとを対応付けたデータを記憶する記憶手段として前記コンピュータ装置を機能させ、
前記処理手段は、前記記憶手段が記憶する前記データに基づいて、前記手書きストロークを前記アプリケーション上に表示させることを特徴とする請求項９に記載のプログラム。
【請求項１１】
前記記憶手段が記憶する前記データに基づいて、前記アプリケーションで使用されるページの中で、前記電子ペンによる記入が行われたページを認識するページ認識手段、
前記ページ認識手段が認識したページが表示されているか否かを判定するページ判定手段、
前記ページ認識手段が認識したページが表示されていないと前記ページ判定手段が判定した場合に、表示させるページを、前記ページ認識手段が認識したページに切り替えるページ切り替え手段、として前記コンピュータ装置を機能させることを特徴とする請求項１０に記載のプログラム。
【請求項１２】
下に重ねられた用紙に記載された内容が透けて視認されるように構成された、複数のシートを有するシートセットであって、
前記複数のシートは、プレゼンテーション用のアプリケーションで使用されるページに対応付けられた、それぞれで異なるコード化パターンが形成されていることを特徴とするシートセット。
【請求項１３】
前記用紙は、前記アプリケーションで使用される内容が印刷されており、
前記複数のシートは、それぞれ、前記アプリケーションで使用されるページに対応する前記用紙の上に重ねて使用されることを特徴とする請求項１２に記載のシートセット。
【請求項１４】
前記複数のシートは、それぞれ、前記用紙と重ねた状態で、複数の袋部を有するファイルに収納されることを特徴とする請求項１２又は１３に記載のシートセット。
【請求項１５】
前記複数のシートは、それぞれ、片側の面に弱粘着層が形成されており、前記弱粘着層により前記用紙が貼り付けられることを特徴とする請求項１２又は１３に記載のシートセット。
【請求項１６】
前記複数のシートは、それぞれ、綴じるために用いられる穴が形成されており、前記用紙と重ねた状態で、前記穴を用いて綴じられることを特徴とする請求項１２又は１３に記載のシートセット。
【請求項１７】
前記複数のシートは、前記用紙を挟んで保持可能に構成されていることを特徴とする請求項１６に記載のシートセット。
【請求項１８】
前記複数のシートは、表面が透明ニスでコーティングされていることを特徴とする請求項１２乃至１７のいずれか一項に記載のシートセット。
【請求項１９】
前記複数のシートには、方眼メッシュが形成されていることを特徴とする請求項１２乃至１８のいずれか一項に記載のシートセット。
【請求項２０】
前記複数のシートは、トレーシングペーパーまたはクリアファイルで構成されていることを特徴とする請求項１９に記載のシートセット。
【請求項２１】
請求項１２乃至２０のいずれか一項に記載のシートセットと、
前記シートセットが有する前記シートに形成された前記コード化パターンを読取り、手書きストロークに関する記入情報を生成する電子ペンと、
前記プレゼンテーション用のアプリケーションを実行すると共に、前記電子ペンから前記記入情報を受信して、当該記入情報に対応する前記手書きストロークを前記アプリケーション上に表示させる処理手段を有するコンピュータ装置と、を備えることを特徴とするストローク表示システム。
【請求項２２】
前記コンピュータ装置は、
前記アプリケーションで使用されるページの番号と、前記シートセットに形成された前記コード化パターンとを対応付けたデータを記憶する記憶手段を備え、
前記処理手段は、前記記憶手段が記憶する前記データに基づいて、前記手書きストロークを前記アプリケーション上に表示させることを特徴とする請求項２１に記載のストローク表示システム。
【請求項２３】
前記コンピュータ装置は、
前記記憶手段が記憶する前記データに基づいて、前記アプリケーションで使用されるページの中で、前記電子ペンによる記入が行われたページを認識するページ認識手段と、
前記ページ認識手段が認識したページが表示されているか否かを判定するページ判定手段と、
前記ページ認識手段が認識したページが表示されていないと前記ページ判定手段が判定した場合に、表示させるページを、前記ページ認識手段が認識したページに切り替えるページ切り替え手段と、を備えることを特徴とする請求項２２に記載のストローク表示システム。
【請求項２４】
請求項１２乃至２０のいずれか一項に記載のシートセットと、前記シートセットが有する前記シートに形成された前記コード化パターンを読取り、手書きストロークに関する記入情報を生成する電子ペンと、コンピュータ装置と、を備えるストローク表示システムにおいて、前記コンピュータ装置により実行されるプログラムであって、
前記コンピュータ装置を、
前記プレゼンテーション用のアプリケーションを実行すると共に、前記電子ペンから前記記入情報を受信して、当該記入情報に対応する前記手書きストロークを前記アプリケーション上に表示させる処理手段、として機能させることを特徴とするプログラム。
【請求項２５】
前記アプリケーションで使用されるページの番号と、前記シートセットに形成された前記コード化パターンとを対応付けたデータを記憶する記憶手段を備え、
前記処理手段は、前記記憶手段が記憶する前記データに基づいて、前記手書きストロークを前記アプリケーション上に表示させることを特徴とする請求項２４に記載のプログラム。
【請求項２６】
前記記憶手段が記憶する前記データに基づいて、前記アプリケーションで使用されるページの中で、前記電子ペンによる記入が行われたページを認識するページ認識手段、
前記ページ認識手段が認識したページが表示されているか否かを判定するページ判定手段、
前記ページ認識手段が認識したページが表示されていないと前記ページ判定手段が判定した場合に、表示させるページを、前記ページ認識手段が認識したページに切り替えるページ切り替え手段、として前記コンピュータ装置を機能させることを特徴とする請求項２５に記載のプログラム。
【発明の詳細な説明】
【技術分野】
【０００１】
本発明は、ドットパターンが形成されたファイル及びシートセットと、これらのファイル及びシートセットを利用したストローク表示システムに関する。
【背景技術】
【０００２】
近年、記入した情報を電子化する電子ペンが開発されており、その代表的なものとしてスウェーデンのAnoto社が開発した「アノトペン（Anoto pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、特許文献２には、クリアファイルにドットパターンを形成すること、及び、ページ認識のためのドットパターン（ページ区分Ｐ）を、クリアファイルに差し込むドキュメントＤに印刷することが記載されている。特許文献３には、クリアファイルにドットパターンを形成すること、及び、ページ区分を認識するために当該ドットパターンを用いることが記載されている。特許文献４には、リライトシートに、ドットパターンと、ページ認識のためのドットパターン（ページ区分Ｐ）と、パソコンで作成したドキュメントとを印刷することが記載されている。
【先行技術文献】
【特許文献】
【０００４】
【特許文献１】特許第３８７２４９８号公報
【特許文献２】特開２００８−４７０４４号公報
【特許文献３】特開２００８−４７０４６号公報
【特許文献４】特開２００８−４７０４３号公報
【発明の概要】
【発明が解決しようとする課題】
【０００５】
しかしながら、従来の技術では、プレゼンテーションのアプリケーションを実行する場面において、簡便に、電子ペンによる手書きストロークを当該アプリケーション上に表示させることが困難であった。そこで、本発明は、簡便に、電子ペンによる手書きストロークをプレゼンテーションのアプリケーション上に適切に表示させることが可能なファイル、シートセット、及びストローク表示システム、並びにプログラムを提案することを主な目的とする。
【課題を解決するための手段】
【０００６】
本発明の１つの観点では、収納される用紙に記載された内容が透けて視認されるように構成された、複数の袋部を有するファイルであって、前記複数の袋部は、プレゼンテーション用のアプリケーションで使用されるページに対応付けられた、それぞれで異なるコード化パターンが形成されている。
【０００７】
上記のファイルは、用紙（以下、「資料」とも呼ぶ。）を収納可能に構成された複数の袋部を有しており、複数の袋部は、収納される資料に記載された内容が透けて視認されるように構成されている。例えば、複数の袋部は透明に構成されている。また、複数の袋部は、プレゼンテーション用のアプリケーション（以下、適宜「プレゼンアプリ」と表記する。）で使用されるページに対応付けられたユニークなコード化パターンが形成されている。ユーザは、このようなファイルと、コード化パターンを読み取る電子ペンと、プレゼンアプリを実行すると共に電子ペンによって記入された手書きストロークを表示するコンピュータ装置とを用いて、プレゼンテーションを実行することができる。これにより、簡便に、電子ペンによる手書きストロークを、プレゼンアプリ上に適切に表示させることができる。具体的には、ファイルの袋部の上から電子ペンにより手書きストロークを記入することで、プレゼンアプリの適切なページに手書きストロークを表示させることができる。また、ユーザは、同じファイルを用いて、複数の異なるプレゼンテーションを行うことができる。そのため、例えばプレゼンテーションの内容が変わるごとにコード化パターンを別途形成するような構成と比較して、使用するコード化パターンの領域を削減することができる。
【０００８】
上記のファイルの一態様では、前記用紙は、前記アプリケーションで使用される内容が印刷されており、前記複数の袋部は、それぞれ、前記アプリケーションで使用されるページに対応する前記用紙が収納されて使用される。つまり、ファイルは、プレゼンアプリで使用されるページが印刷された資料が、それぞれのページに対応する袋部に差し込まれることで利用される。
【０００９】
上記のファイルの好適な例では、前記複数の袋部は、それぞれ、同じ方向を向く片側の面に前記コード化パターンが形成されており、１枚の前記用紙が収納されて使用される。また、他の好適な例では、前記複数の袋部は、それぞれ、両側の面に前記コード化パターンが形成されており、２枚の前記用紙が収納されて使用される。
【００１０】
上記のファイルの他の一態様では、前記複数の袋部は、表面が透明ニスでコーティングされている。この態様によれば、例えばインクユニットを有する電子ペンによって手書きストロークが記入されたとしても、記入されたインクを消しゴムなどで適切に除去することができるので、上記したファイルを複数回利用することが可能となる。
【００１１】
本発明の他の観点では、ストローク表示システムは、上記ファイルと、前記ファイルが有する前記袋部に形成された前記コード化パターンを読取り、手書きストロークに関する記入情報を生成する電子ペンと、前記プレゼンテーション用のアプリケーションを実行すると共に、前記電子ペンから前記記入情報を受信して、当該記入情報に対応する前記手書きストロークを前記アプリケーション上に表示させる処理手段を有するコンピュータ装置と、を備える。
【００１２】
上記のストローク表示システムは、前述したようなファイルと、電子ペンと、コンピュータ装置とを有する。ファイルは、プレゼンアプリで使用されるページに対応付けられたユニークなコード化パターンが形成されており、電子ペンは、ファイルの袋部に形成されたコード化パターンを読取り、手書きストロークに関する記入情報を生成し、コンピュータ装置は、プレゼンアプリを実行すると共に、電子ペンによって記入された手書きストロークをプレゼンアプリ上に表示させる。このようなストローク表示システムによれば、ユーザは、簡便に、電子ペンによる手書きストロークをプレゼンアプリ上に適切に表示させることができる。具体的には、ユーザは、プレゼンアプリの内容を印刷した資料をファイルの袋部に差し込む作業を行うだけで、このようなファイルを用いて、プレゼンテーションの実行中に手書きストロークをプレゼンアプリの適切なページに表示させることができる。
【００１３】
上記のストローク表示システムの一態様では、前記コンピュータ装置は、前記アプリケーションで使用されるページの番号と、前記袋部に形成された前記コード化パターンとを対応付けたデータを記憶する記憶手段を備え、前記処理手段は、前記記憶手段が記憶する前記データに基づいて、前記手書きストロークを前記アプリケーション上に表示させることができる。
【００１４】
上記のストローク表示システムの他の一態様では、前記コンピュータ装置は、前記記憶手段が記憶する前記データに基づいて、前記アプリケーションで使用されるページの中で、前記電子ペンによる記入が行われたページを認識するページ認識手段と、前記ページ認識手段が認識したページが表示されているか否かを判定するページ判定手段と、前記ページ認識手段が認識したページが表示されていないと前記ページ判定手段が判定した場合に、表示させるページを、前記ページ認識手段が認識したページに切り替えるページ切り替え手段と、を備える。この態様によれば、手書きストロークが記入されたページが現在表示されていない場合であっても、当該手書きストロークが記入されたページを適切に表示させることができる。よって、電子ペンを併用したプレゼンアプリの利便性を向上させることが可能となる。
【００１５】
本発明の更に他の観点では、上記ファイルと、前記ファイルが有する前記袋部に形成された前記コード化パターンを読取り、手書きストロークに関する記入情報を生成する電子ペンと、コンピュータ装置と、を備えるストローク表示システムにおいて、前記コンピュータ装置により実行されるプログラムは、前記コンピュータ装置を、前記プレゼンテーション用のアプリケーションを実行すると共に、前記電子ペンから前記記入情報を受信して、当該記入情報に対応する前記手書きストロークを前記アプリケーション上に表示させる処理手段、として機能させる。
【００１６】
上記のプログラの一態様では、前記アプリケーションで使用されるページの番号と、前記袋部に形成された前記コード化パターンとを対応付けたデータを記憶する記憶手段として前記コンピュータ装置を機能させ、前記処理手段は、前記記憶手段が記憶する前記データに基づいて、前記手書きストロークを前記アプリケーション上に表示させる。
【００１７】
上記のプログラの他の一態様では、前記記憶手段が記憶する前記データに基づいて、前記アプリケーションで使用されるページの中で、前記電子ペンによる記入が行われたページを認識するページ認識手段、前記ページ認識手段が認識したページが表示されているか否かを判定するページ判定手段、前記ページ認識手段が認識したページが表示されていないと前記ページ判定手段が判定した場合に、表示させるページを、前記ページ認識手段が認識したページに切り替えるページ切り替え手段、として前記コンピュータ装置を機能させる。
【００１８】
これらのプログラムを実行することにより、上記のストローク表示システムを実現することができる。
【００１９】
本発明の更に他の観点では、下に重ねられた用紙に記載された内容が透けて視認されるように構成された、複数のシートを有するシートセットは、前記複数のシートは、プレゼンテーション用のアプリケーションで使用されるページに対応付けられた、それぞれで異なるコード化パターンが形成されている。
【００２０】
上記のシートセットは、複数の用紙（資料）の上に複数のシートのそれぞれを重ねることで利用される。複数のシートは、下に重ねられた資料に記載された内容が透けて視認されるように構成されている。例えば、複数のシートは透明に構成されている。また、複数のシートは、プレゼンアプリで使用されるページに対応付けられたユニークなコード化パターンが形成されている。ユーザは、このようなシートセットと、コード化パターンを読み取る電子ペンと、プレゼンアプリを実行すると共に電子ペンによって記入された手書きストロークを表示するコンピュータ装置とを用いて、プレゼンテーションを実行することができる。これにより、簡便に、電子ペンによる手書きストロークを、プレゼンアプリ上に適切に表示させることができる。具体的には、シートの上から電子ペンにより手書きストロークを記入することで、プレゼンアプリの適切なページに手書きストロークを表示させることができる。また、ユーザは、同じシートセットを用いて、複数の異なるプレゼンテーションを行うことができる。そのため、例えばプレゼンテーションの内容が変わるごとにコード化パターンを別途形成するような構成と比較して、使用するコード化パターンの領域を削減することができる。
【００２１】
上記のシートセットの一態様では、前記用紙は、前記アプリケーションで使用される内容が印刷されており、前記複数のシートは、それぞれ、前記アプリケーションで使用されるページに対応する前記用紙の上に重ねて使用される。つまり、シートセットは、プレゼンアプリで使用されるページが印刷された資料が、それぞれのページに対応するシートの上に重ねられて利用される。
【００２２】
上記のシートセットの他の一態様では、複数のシートは、それぞれ、前記用紙と重ねた状態で、複数の袋部を有するファイルに収納される。この態様では、複数のシートの各々が対応する資料の上に重ねられて、このようにシートと資料とを重ねた状態にある複数のセットの各々が、ファイルの複数の袋部に収納される。
【００２３】
上記のシートセットの他の一態様では、前記複数のシートは、それぞれ、片側の面に弱粘着層が形成されており、前記弱粘着層により前記用紙が貼り付けられる。この態様では、複数のシートと、複数のシートのそれぞれに対応する資料とが、弱粘着層を用いて貼り合わされる。
【００２４】
上記のシートセットの他の一態様では、前記複数のシートは、それぞれ、綴じるために用いられる穴が形成されており、前記用紙と重ねた状態で、前記穴を用いて綴じられる。この態様では、複数のシートの各々が対応する資料の上に重ねられて、このようにシートと資料とを重ねた状態にある複数のセットを一まとまりにして、シート及び資料に形成された穴を用いて綴じられる。この態様において好適には、前記複数のシートを、前記用紙を挟んで保持可能に構成することができる。
【００２５】
上記のシートセットの他の一態様では、前記複数のシートは、表面が透明ニスでコーティングされている。この態様によれば、例えばインクユニットを有する電子ペンによって手書きストロークが記入されたとしても、記入されたインクを消しゴムなどで適切に除去することができるので、上記したシートセットを複数回利用することが可能となる。
【００２６】
上記のシートセットの他の一態様では、前記複数のシートには、方眼メッシュが形成されている。この態様によれば、ユーザは、電子ペンによって手書きストロークを記入する際に、方眼メッシュを利用することで、たとえば図形や数式などを容易に記入することが可能となる。
【００２７】
上記のシートセットの他の一態様では、前記複数のシートは、トレーシングペーパーまたはクリアファイルで構成されている。この態様によれば、ユーザは、電子ペンによって手書きストロークを記入する際に、方眼メッシュ越しに、透けて資料を視認することができる。
【００２８】
本発明の更に他の観点では、ストローク表示システムは、上記シートセットと、前記シートセットが有する前記シートに形成された前記コード化パターンを読取り、手書きストロークに関する記入情報を生成する電子ペンと、前記プレゼンテーション用のアプリケーションを実行すると共に、前記電子ペンから前記記入情報を受信して、当該記入情報に対応する前記手書きストロークを前記アプリケーション上に表示させる処理手段を有するコンピュータ装置と、を備える。このようなストローク表示システムによっても、ユーザは、簡便に、電子ペンによる手書きストロークをプレゼンアプリ上に適切に表示させることができる。
【００２９】
上記のストローク表示システムの一態様では、前記コンピュータ装置は、前記アプリケーションで使用されるページの番号と、前記シートセットに形成された前記コード化パターンとを対応付けたデータを記憶する記憶手段を備え、前記処理手段は、前記記憶手段が記憶する前記データに基づいて、前記手書きストロークを前記アプリケーション上に表示させることができる。
【００３０】
上記のストローク表示システムの他の一態様では、前記コンピュータ装置は、前記記憶手段が記憶する前記データに基づいて、前記アプリケーションで使用されるページの中で、前記電子ペンによる記入が行われたページを認識するページ認識手段と、前記ページ認識手段が認識したページが表示されているか否かを判定するページ判定手段と、前記ページ認識手段が認識したページが表示されていないと前記ページ判定手段が判定した場合に、表示させるページを、前記ページ認識手段が認識したページに切り替えるページ切り替え手段と、を備える。この態様によれば、手書きストロークが記入されたページが現在表示されていない場合であっても、当該手書きストロークが記入されたページを適切に表示させることができる。よって、電子ペンを併用したプレゼンアプリの利便性を向上させることが可能となる。
【００３１】
本発明の更に他の観点では、上記シートセットと、前記シートセットが有する前記シートに形成された前記コード化パターンを読取り、手書きストロークに関する記入情報を生成する電子ペンと、コンピュータ装置と、を備えるストローク表示システムにおいて、前記コンピュータ装置により実行されるプログラムは、前記コンピュータ装置を、前記プレゼンテーション用のアプリケーションを実行すると共に、前記電子ペンから前記記入情報を受信して、当該記入情報に対応する前記手書きストロークを前記アプリケーション上に表示させる処理手段、として機能させる。
【００３２】
上記のプログラの一態様では、前記アプリケーションで使用されるページの番号と、前記シートセットに形成された前記コード化パターンとを対応付けたデータを記憶する記憶手段を備え、前記処理手段は、前記記憶手段が記憶する前記データに基づいて、前記手書きストロークを前記アプリケーション上に表示させる。
【００３３】
上記のプログラの他の一態様では、前記記憶手段が記憶する前記データに基づいて、前記アプリケーションで使用されるページの中で、前記電子ペンによる記入が行われたページを認識するページ認識手段、前記ページ認識手段が認識したページが表示されているか否かを判定するページ判定手段、前記ページ認識手段が認識したページが表示されていないと前記ページ判定手段が判定した場合に、表示させるページを、前記ページ認識手段が認識したページに切り替えるページ切り替え手段、として前記コンピュータ装置を機能させる。
【００３４】
これらのプログラムを実行することにより、上記のストローク表示システムを実現することができる。
【発明の効果】
【００３５】
本発明によれば、ユーザは、上記したようなファイル又はシートセットを用いてプレゼンテーションを行うことで、簡便に、電子ペンによる手書きストロークをプレゼンアプリ上に適切に表示させることができる。具体的には、ファイルの袋部又はシートセットのシートの上から電子ペンにより手書きストロークを記入することで、プレゼンアプリの適切なページに手書きストロークを表示させることができる。
【図面の簡単な説明】
【００３６】
【図１】第１実施形態におけるストローク表示システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置の機能ブロック図である。
【図６】座標定義情報のデータ構造を模式的に示す図である。
【図７】第１実施形態のストローク表示システムによる処理フローを示す。
【図８】（ａ）は、第２実施形態に係る透明シートの利用方法を説明するための図を示し、（ｂ）は、第２実施形態に係るストローク表示システムの構成を示す。
【図９】（ａ）は、第３実施形態に係る透明シートの利用方法を説明するための図を示し、（ｂ）は、第３実施形態に係るストローク表示システムの構成を示す。
【図１０】（ａ）は、第４実施形態に係る透明シートの利用方法を説明するための図を示し、（ｂ）は、第４実施形態に係るストローク表示システムの構成を示す。
【図１１】（ａ）は、電子ペンによる筆記側の基材フィルム上にドットパターンが形成された変形例１に係る構成例を示し、（ｂ）は、電子ペンによる筆記がなされない基材フィルム上にドットパターンが形成された変形例１に係る構成例を示し、（ｃ）は、ドットパターンが基材フィルムで挟み込まれた変形例１に係る構成例を示す。
【図１２】変形例２に係る透明シートの具体例を示す図である。
【図１３】変形例３に係るシートの一例を示す図である。
【図１４】変形例４に係る透明シートを示す図である。
【図１５】（ａ）は、変形例５に係る透明シートを示し、（ｂ）は、透明パッチシールの一例を示し、（ｃ）は、透明パッチシールの他の例を示す。
【発明を実施するための形態】
【００３７】
以下、図面を参照しながら、本発明の実施の形態について説明する。
【００３８】
＜第１実施形態＞
まず、本発明に係る第１実施形態について説明する。
［ストローク表示システムの構成］
図１は、第１実施形態に係るストローク表示システムの構成を示す。図１に示すように、第１実施形態に係るストローク表示システムは、ユーザが使用する電子ペン１と、電子ペン１から記入情報等を受信して処理するコンピュータ装置２と、コンピュータ装置２からの印刷指示（出力命令）に従って資料６を印刷するプリンタ３と、コンピュータ装置２のディスプレイに表示する画像と同様の画像をスクリーン５に映し出すプロジェクタ４と、複数の袋部７ａを有するファイル７とを有する。
【００３９】
コンピュータ装置２は、プレゼンテーション用のアプリケーション（プレゼンアプリ）のプログラムがインストールされており、プレゼンアプリを実行する。この場合、コンピュータ装置２は、プレゼンアプリの内容を示す画像をディスプレイに表示させると共に、当該画像と同様の画像をプロジェクタ４を介してスクリーン５に映し出す。また、コンピュータ装置２は、プレゼンアプリの内容を印刷するための印刷指示をプリンタ３に出力することで、当該プレゼンアプリの内容が印刷された資料６を生成する。
【００４０】
ファイル７は、収納される資料６に記載された内容が透けて視認されるように構成された、透明の袋部７ａを複数有する。例えば、袋部７ａは、透明なポリプロピレンシートを２つ折りにし、底辺を密封したものであり、ファイル７は、このような複数の袋部７ａを綴じたものである。複数の袋部７ａは、プレゼンアプリで使用されるページに対応付けられた、それぞれで異なるドットパターン（言い換えるとユニークなドットパターン）が形成されている。なお、本実施形態では、ドットパターンは、アノト方式のものによるが、他のコード化パターンを用いても良い。また、複数の袋部７ａは、それぞれ、資料６が１枚ずつ差し込まれる。具体的には、複数の袋部７ａは、同じ方向を向く片面にのみドットパターンが形成されており、当該片面側に全ての資料６の表側（プレゼンアプリンの内容が印刷された側を意味する。以下同様とする。）が位置するように、資料６が袋部７ａに差し込まれる。詳しくは、各袋部７ａには１ページ、２ページ、３ページ、…に対応したドットパターンが形成されており、ファイル７には、そのページ番号順に袋部７ａが綴じられている。そして、プレゼンアプリで使用されるページが印刷された資料６は、それぞれのページに対応する袋部７ａに差し込まれる。このように、ファイル７の袋部７ａに、ページ番号順に資料６が差し込まれた状態では、袋部７ａのドットパターンが形成された面を透して、資料６に印刷された内容がユーザに視認される。
【００４１】
図１に示すようなストローク表示システムは、例えば以下のように利用される。ユーザは、電子ペン１を用いると共に、プレゼンアプリの内容が印刷された資料６が適切な袋部７ａのページに差し込まれた状態にあるファイル７を用いて、電子ペン１によって袋部７ａの表面に手書きストロークを記入しながら、プレゼンテーションを行う。具体的には、ユーザは、袋部７ａを透して資料６を視認して、袋部７ａの上から、当該資料６の対応する箇所に手書きストロークを記入する。また、ユーザは、ファイル７の袋部７ａのページをめくることで、実行するプレゼンテーションに応じた資料６が差し込まれた袋部７ａのページを開く。
【００４２】
そして、上記のように電子ペン１によって手書きストロークが記入された場合に、コンピュータ装置２は、当該手書きストロークをプレゼンアプリ上に表示させる。具体的には、コンピュータ装置２は、手書きストロークをプレゼンアプリ上に表示させた画像を、ディスプレイに表示させると共に、プロジェクタ４を介してスクリーン５に映し出す。また、コンピュータ装置２は、手書きストロークが記入されたページが現在表示されていない場合には、当該手書きストロークが記入されたページを表示させる。
【００４３】
なお、上記では、片面にのみドットパターンが形成された袋部７ａを示したが、他の例では、各袋部７ａの両面にドットパターンを形成することができる。この場合、各袋部７ａの各々の面に、１ページから順にページ番号に対応したドットパターンを形成することとなる。この例では、ファイル７の各袋部７ａには、１ページから順に２枚ずつ資料６が差し込まれる。具体的には、２枚の資料６のそれぞれの表側が袋部７ａの外側から視認されるように、２枚の資料６が外表にして袋部７ａに差し込まれる。これにより、２枚の資料６が袋部７ａに差し込まれた状態において、袋部７ａのドットパターンが形成された面を透して、２枚の資料６のそれぞれに印刷された内容がユーザに視認されることとなる。
【００４４】
［ドットパターン］
続いて、ファイル７の袋部７ａに形成されたアノト方式のドットパターン（コード化パターン）について説明する。図２は、袋部７ａに印刷されたドットパターンのドットとそのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、袋部７ａ上の位置座標が決定されるよう構成されている。
【００４５】
図３（ａ）は、あるドットパターンの配列を示している。図３（ａ）に示すように、縦横約２ｍｍの範囲内に６×６個のドットが、袋部７ａ上のどの部分から６×６ドットを取ってもユニークなパターンとなるように配置されている。これら３６個のドットにより形成されるドットパターンは位置座標（例えば、そのドットパターンが袋部７ａ上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００４６】
［電子ペン］
次に電子ペン１について説明する。図４に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４の先端は、ペン先部１０３となっており、ユーザは、電子ペン１のペン先部１０３を袋部７ａ上に当接させて、文字等のストローク（手書きストローク）を記入したり、タップ（ペン先部１０３による袋部７ａへの軽叩）したりする。ここで、電子ペン１のペン先部１０３が袋部７ａに最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００４７】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により袋部７ａに文字やマークを書いたりタップしたりする際にペン先部１０３からペン部１０４を通じて与えられる圧力、即ち筆圧を検出し、その値をプロセッサ１０８へ伝送する。
【００４８】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で袋部７ａに文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてコンピュータ装置２へ送信する。また、ユーザが１つのストロークを記入し終えて電子ペン１を袋部７ａから離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００４９】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、袋部７ａ上のペン先部１０３近傍に向けて赤外線を照明する。その領域は、ペン先部１０３が袋部７ａに接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を反射するため、ＬＥＤ１０５によって照射された赤外線は、ドットによって反射される。そのため、ドットの部分は、赤外線の反射量が比較的多く、ドット以外の部分は赤外線の反射量が比較的少ない。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００５０】
プロセッサ１０８は、ユーザの記入が行われる間、ＣＭＯＳカメラ１０６によって供給される画像データのドットパターンから、ユーザが記入するストローク（筆跡）の袋部７ａ上におけるＸ，Ｙ座標（単に「位置座標」、「座標情報」とも呼ぶ）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ，Ｙ座標データを演算する。そして、プロセッサ１０８は、リアルタイムクロック１１０から発信される現在時刻（タイムスタンプ：記入された時刻情報）、筆圧データ及びＸ，Ｙ座標データを関連付ける。以後、これらの関連付けたデータを、まとめて「座標属性情報」と呼ぶ。なお、袋部７ａにおける６×６のドットパターンは、袋部７ａ内で重複することはないため、ユーザが電子ペン１で文字等を記入すると、記入された位置が袋部７ａのどの位置に当たるかを、プロセッサ１０８による座標演算により特定することができる。
【００５１】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ，Ｙ座標（座標点）からなり、コンピュータ装置２は、ペンダウン情報及びペンアップ情報によって、１つのストロークを構成する１個又は複数個の座標属性情報を認識する。このように、ユーザの一つのストロークの記入により、電子ペン１によって生成される座標属性情報の集合を「ストローク情報」と呼ぶ。また、ペン先部１０３は、インクを有さず、筆圧をペン部１０４を介して圧力センサ１０７に伝達する。
【００５２】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成されるパーソナルコンピュータ等で構成される。図５は、コンピュータ装置２の機能ブロック図である。コンピュータ装置２は、機能的には、マウスやキーボードといった入力手段２１、受信手段２２、処理手段２４、記憶手段２５、表示手段２６、画像出力手段２７及び印刷出力手段２８を備える。そして、コンピュータ装置２は、電子ペン１から受信した記入情報に基づいて所定の処理を行う。
【００５３】
受信手段２２は、アンテナ受信回路等により構成され、電子ペン１から記入情報を受信し、処理手段２４に伝送する。画像出力手段２７は、処理手段２４の指示による画像信号をプロジェクタ４に送信する。印刷出力手段２８は、処理手段２４の指示による資料６の印刷指示（出力命令）をプリンタ３に送信する。なお、プリンタ３及び／又はプロジェクタ４へのデータ送信方式は、有線式であっても無線式であってもよい。表示手段２６は、ディスプレイ等によって構成され、処理手段２４によって指示された内容を表示する。
【００５４】
記憶手段２５は、ハードディスクやＲＯＭ、ＲＡＭといったメモリによって構成される。記憶手段２５は、処理手段２４の処理命令により、電子ペン１から受信した記入情報をペンＩＤ毎に記憶し、さらに、処理手段２４の指示により、記憶領域を確保して、ペンダウンからペンアップまでの記入情報に含まれる座標属性情報をストローク情報としてペンＩＤ毎に記憶する。また、記憶手段２５は、予め、プレゼンアプリのプログラムと、プレゼンアプリで利用する各種情報を記憶している。各種情報の一例として、記憶手段２５は、図６に示すように、プレゼンアプリで使用されるページの番号と、ファイル７の各袋部７ａに形成されたドットパターンとを対応付けた座標定義情報を記憶している。図６において、「ｐ．１」、「ｐ．２」、「ｐ．３」などは、プレゼンアプリで使用されるページの番号を示している。言い換えるとファイル７の各袋部７ａに対応するページの番号を示している。記憶手段２５は、このようなページの番号に対応付けて、ドットパターンの座標範囲を記憶している。各座標範囲は、矩形の角の位置座標（Ｘｎ，Ｙｎ）、高さ（Ｈ）、幅（Ｗ）で規定される。電子ペン１によってファイル７の袋部７ａに対して手書きストロークの記入が行われた場合に、後述する処理手段２４は、記憶手段２５に記憶された座標定義情報を参照することで、手書きストロークの記入が行われたプレゼンアプリのページ番号を特定することが可能となる。
【００５５】
処理手段２４は、ＣＰＵ等のプロセッサによって構成され、受信手段２２が受信した記入情報に基づいてストロークを表示手段２６に表示させたり、表示手段２６に表示させる画像と同様の画像をプロジェクタ４に投影させるための画像信号を、画像出力手段２７を介してプロジェクタ４に送信させたりするなどの所定の処理を実行する。具体的には、処理手段２４は、プレゼンアプリを起動して表示手段２６に表示させ、プレゼンアプリ上でストロークを表示させる。また、処理手段２４は、電子ペン１から受信した記入情報の中にペンダウン情報ＰＤが含まれることを識別すると、最新のストローク情報をペンＩＤ毎に記憶するための記憶領域を記憶手段２５に設定させる。そして、処理手段２４は、受信した記入情報の中にペンアップ情報ＰＵが含まれることを検出するまで、或いは、受信した記入情報の中に次のペンダウン情報ＰＤが含まれることを検出するまで、受信した記入情報の中に含まれる座標属性情報を最新のストローク情報の一部として記憶手段２５に記憶させる。更に、処理手段２４は、受信手段２２が電子ペン１から受信した記入情報に基づいて、プレゼンアプリで使用されるページの中で、電子ペン１による手書きストロークの記入が行われたページを認識する。具体的には、処理手段２４は、記入情報に含まれる座標定義情報に基づいて、記憶手段２５に記憶された座標定義情報を参照することで、手書きストロークの記入が行われたプレゼンアプリのページ番号を認識する。そして、処理手段２４は、認識したページが現在、表示手段２６に表示されているか否かを判定し、認識したページが現在表示されていない場合に、表示させるページを、当該認識したページに切り替える処理を行う。なお、処理手段２４は、本発明における「ページ認識手段」、「ページ判定手段」及び「ページ切り替え手段」の一例に相当する。
【００５６】
［プリンタ］
プリンタ３は、コンピュータ装置２の処理手段２４による印刷指示（出力命令）を印刷出力手段２８から取得し、当該印刷指示に従って資料６を印刷する。具体的には、プリンタ３は、赤外域に吸収性を持たないインキによって、資料６を印刷する。
【００５７】
［処理フロー］
次に、第１実施形態のストローク表示システムによる処理フローについて説明する。図７に示す処理フローは、電子ペン１により記入情報が生成されるごとに繰り返し実行される。
【００５８】
まず、ユーザが、ファイル７の袋部７ａに対し電子ペン１で文字等を記入すると、電子ペン１は、生成した記入情報をコンピュータ装置２へ送信する（ステップＳ１０１）。具体的には、電子ペン１は、ペンダウン時には、ペンダウン情報ＰＤ及びペンＩＤを関連付けた記入情報を生成して、生成した記入情報をコンピュータ装置２へ送信し、ストロークの記入中は、ストロークに沿ってドットパターンを撮像して演算した座標情報を含む座標属性情報とペンＩＤとを関連付けた記入情報を生成してコンピュータ装置２へ送信し、ペンアップ時には、ペンアップ情報ＰＵ及びペンＩＤを関連付けた記入情報を生成してコンピュータ装置２へ送信する。
【００５９】
コンピュータ装置２では、受信手段２２が、電子ペン１から送信された記入情報を受信すると、処理手段２４は、その記入情報を記憶手段２５に記憶させる（ステップＳ２０１）。次に、処理手段２４は、電子ペン１が記入したプレゼンアプリのページ番号を認識する（ステップＳ２０２）。具体的には、処理手段２４は、図６に示したような記憶手段２５に記憶された座標定義情報を参照して、ステップＳ２０１で取得された記入情報に含まれる座標情報に基づいて、電子ペン１が記入したプレゼンアプリのページ番号を認識する。次に、処理手段２４は、ステップＳ２０２で認識したページ番号のページが現在表示されているか否かを判定する（ステップＳ２０３）。この場合、処理手段２４は、現在表示されているページ番号と、ステップＳ２０２で認識したページ番号とを比較することで、当該判定を行う。
【００６０】
認識したページ番号のページが表示されていると判定した場合（ステップＳ２０３；Ｙｅｓ）、処理手段２４は、電子ペン１により記入された手書きストロークを表示させる処理（ストローク描画処理）を実行する（ステップＳ２０５）。具体的には、処理手段２４は、以下の手順で、ストローク描画処理を実行する。まず、処理手段２４は、記入情報に含まれる座標属性情報を最新のストローク情報として、記憶手段２５に一時的に記憶させる。このとき既に記憶されている最新ストローク情報があれば、記憶手段２５は、当該座標属性情報を最新ストローク情報の一部として追加して記憶する。続いて、処理手段２４は、ストローク情報に基づいて、手書きストロークを表示させるべき所定の領域に当該手書きストロークを表示する。なお、処理手段２４は、受信した記入情報にペンアップ情報ＰＵあるいはペンダウン情報ＰＤが含まれる場合、一時的に記憶させていた最新ストローク情報を１つのストローク情報として確定して記憶手段２５に記憶させて、続いて受信した記入情報に含まれる座標属性情報を最新のストローク情報として記憶手段２５に一時的に記憶させる。このようなストローク描画処理の後、処理手段２４は、表示されているページのデータに対して、上記したストローク情報などを付加したデータを、記憶手段２５に上書き保存させる（ステップＳ２０６）。
【００６１】
一方、認識したページが表示されていないと判定した場合（ステップＳ２０３；Ｎｏ）、処理手段２４は、当該認識されたページを表示させる（ステップＳ２０４）。つまり、処理手段２４は、表示させるページを、現在表示されているページから、ステップＳ２０２で認識したページに切り替える処理を行う。この後、処理手段２４は、上記と同様の手順にて、ステップＳ２０５及びＳ２０６の処理を行う。
【００６２】
［第１実施形態による作用効果］
以上説明した第１実施形態によれば、ユーザは、プレゼンアプリで使用されるページに対応付けられたユニークなドットパターンが各袋部７ａに形成されたファイル７を用いることで、簡便に、電子ペン１による手書きストロークをプレゼンアプリ上に表示させることができる。具体的には、ユーザは、プレゼンアプリの内容を印刷した資料６をファイル７の袋部７ａに差し込む作業を行うだけで、このようなファイル７を用いて、プレゼンテーションの実行中に手書きストロークをプレゼンアプリ上に適切に表示させることができる。
【００６３】
また、上記のようなファイル７は、プレゼンテーションの内容が変わった場合にも使い回すことができる。つまり、ユーザは、袋部７ａに差し込む資料６を入れ替えることで、同じファイル７を用いて、複数の異なるプレゼンテーションを行うことができる。即ち、各プレゼンテーションを行う場合において、そのプレゼンアプリの内容を印刷した資料６を、同じファイル７の袋部７ａに差し込んで使用することができる。このようなことから、本実施形態によれば、例えばプレゼンテーションの内容が変わるごとにユニークなドットパターンを別途形成するような構成と比較して、使用するドットパターンの領域を削減することができる。よって、本実施形態によれば、経済面での向上を図ることができる。
【００６４】
＜第２実施形態＞
次に、本発明に係る第２実施形態について説明する。第１実施形態では、ドットパターンが形成された複数の各袋部７ａを有するファイル７を用いていたが、第２実施形態では、この代わりに、ドットパターンが形成された複数の透明シートを有するシートセットを用いる。具体的には、第２実施形態では、複数の透明シートの各々を対応する資料６の上に重ねて、透明シートと資料６とを重ねた状態にある複数のセットの各々を、ファイルの複数の袋部に収納する。
【００６５】
なお、以下では、第１実施形態で示した符号と同一の符号を付した構成要素などについては同様の意味を有するものとして、その詳細な説明を省略する。また、特に説明しない構成要素や処理などについては、第１実施形態と同様であるものとする。
【００６６】
図８は、第２実施形態を具体的に説明するための図である。図８（ａ）は、第２実施形態に係る透明シート１１の利用方法を説明するための図である。シートセット１０は、下に重ねられた資料６に記載された内容が透けて視認されるように構成された、複数の透明シート１１を有する。例えば、透明シート１１は、透明なポリプロピレンシートで構成されている。複数の透明シート１１は、プレゼンアプリで使用されるページに対応付けられた、それぞれで異なるドットパターン（言い換えるとユニークなドットパターン）が形成されている。複数の透明シート１１は、それぞれ、プレゼンアプリで使用されるページに対応する資料６の表側の面に重ねられる。つまり、１枚の透明シート１１と、それに対応するプレゼンアプリのページの内容が印刷された１枚の資料６とを対にして重ねられる。
【００６７】
そして、対にした透明シート１１と資料６とを１セットとする複数のセットが、それぞれ、ファイル１２の複数の袋部１２ａの各々に１セットずつ差し込まれる。具体的には、全ての資料６の表側が同じ方向を向くように（つまり透明シート１１を重ねた側が同じ方向を向くように）、透明シート１１と資料６とのセットが袋部１２ａに差し込まれる。ファイル１２の袋部１２ａは透明に構成されているため、透明シート１１及び資料６が袋部１２ａに差し込まれた状態では、袋部１２ａ及び透明シート１１を透して資料６に印刷された内容がユーザに視認されることとなる。なお、ファイル１２の袋部１２ａは、第１実施形態で示したファイル７の袋部７ａと異なり、ドットパターンは形成されていない。
【００６８】
図８（ｂ）は、第２実施形態に係るストローク表示システムの構成を示す。第２実施形態に係るストローク表示システムも、第１実施形態に係るストローク表示システムと同様に、電子ペン１、コンピュータ装置２、プリンタ３、プロジェクタ４、及びスクリーン５を有する。しかしながら、第２実施形態に係るストローク表示システムは、第１実施形態に係るストローク表示システムと異なり、複数の袋部７ａを有するファイル７の代わりに、上記したように透明シート１１及び資料６が袋部１２ａに差し込まれたファイル１２を有する。
【００６９】
第２実施形態に係るストローク表示システムも、第１実施形態に係るストローク表示システムと同様に利用される。具体的には、ユーザは、透明シート１１及び資料６が適切に袋部１２ａに差し込まれた状態にあるファイル１２を用いて、電子ペン１によって袋部１２ａの表面に手書きストロークを記入（詳しくは袋部１２ａを介して透明シート１１に手書きストロークを記入）しながら、プレゼンテーションを行う。この場合、ユーザは、袋部１２ａ及び透明シート１１を透して資料６を視認して、当該資料６の対応する箇所に手書きストロークを記入する。また、ユーザは、ファイル１２の袋部１２ａのページをめくることで、実行するプレゼンテーションに応じた資料６が差し込まれた袋部１２ａのページを開く。そして、コンピュータ装置２は、上記のように電子ペン１によって手書きストロークが記入された場合に、当該手書きストロークをプレゼンアプリ上に表示させる。このとき、コンピュータ装置２は、手書きストロークが記入されたページが現在表示されていない場合には、当該手書きストロークが記入されたページを表示させる。なお、コンピュータ装置２は、第１実施形態と同様に、図７に示した処理フローを実行するものとする。
【００７０】
以上説明した第２実施形態によれば、ドットパターンが形成された透明シート１１のみを作成すれば良く、ファイル１２については既存のものを用いれば良いため、ストローク表示システムをより簡便に実現することが可能となる。具体的には、第１実施形態のようにドットパターンが形成されたファイル７を作成する場合と比較して、第２実施形態に係る透明シート１１は、容易かつ安価に作成することができる。
【００７１】
なお、上記では、透明シート１１及び資料６の１セットのみを、ファイル１２の１つの袋部１２ａに差し込む例を示したが、これに限定はされない。他の例では、ファイル１２の１つの袋部１２ａに、透明シート１１及び資料６の２セットを差し込むことができる。この例では、２枚の資料６のそれぞれの表側が透明シート１１を透して袋部１２ａの外側から視認されるように、透明シート１１及び資料６の２セットが外表にして袋部１２ａに差し込まれる。これにより、２セットの透明シート１１及び資料６が袋部１２ａに差し込まれた状態において、袋部１２ａ及び透明シート１１を透して、２枚の資料６のそれぞれに印刷された内容がユーザに視認されることとなる。
【００７２】
＜第３実施形態＞
次に、本発明に係る第３実施形態について説明する。第３実施形態は、ドットパターンが形成された複数の透明シートを有するシートセットを用いる点で、第２実施形態と同様である。しかしながら、第３実施形態では、裏面に弱粘着層が形成された透明シートを用いる点で、第２実施形態と異なる。具体的には、第３実施形態では、複数の透明シートと、それぞれに対応する資料６とが、弱粘着層を用いて貼り合わされる。
【００７３】
なお、以下では、第１実施形態で示した符号と同一の符号を付した構成要素などについては同様の意味を有するものとして、その詳細な説明を省略する。また、特に説明しない構成要素や処理などについては、第１実施形態と同様であるものとする。
【００７４】
図９は、第３実施形態を具体的に説明するための図である。図９（ａ）は、第３実施形態に係る透明シート１４の利用方法を説明するための図である。シートセット１３は、下に重ねられた資料６に記載された内容が透けて視認されるように構成された、複数の透明シート１４を有する。例えば、透明シート１４は、透明なポリプロピレンシートで構成されている。複数の透明シート１４は、プレゼンアプリで使用されるページに対応付けられた、それぞれで異なるユニークなドットパターンが形成されている。また、複数の透明シート１４は、裏面に弱粘着層が形成されている。具体的には、複数の透明シート１４は、用紙に複数回脱着できる程度の粘着力を有する粘着層が形成されている。このような粘着層は、公知の種々のものを適用することができる。
【００７５】
複数の透明シート１４は、それぞれ、プレゼンアプリで使用されるページに対応する資料６の表側の面に重ねられて、弱粘着層を用いて貼り合わされる。つまり、１枚の透明シート１４と、それに対応するページの内容が印刷された１枚の資料６とを対にして、重ね合わせて貼り付けられる。透明シート１４と資料６とが貼り付けられた状態では、透明シート１４を透して資料６に印刷された内容がユーザに視認されることとなる。このように透明シート１４が貼られた複数の資料６は、全ての資料６の表側が同じ方向を向くように（つまり透明シート１４を貼られた側が同じ方向を向くように）、並べられて使用される。
【００７６】
図９（ｂ）は、第３実施形態に係るストローク表示システムの構成を示す。第３実施形態に係るストローク表示システムも、第１実施形態に係るストローク表示システムと同様に、電子ペン１、コンピュータ装置２、プリンタ３、プロジェクタ４、及びスクリーン５を有する。しかしながら、第３実施形態に係るストローク表示システムは、第１実施形態に係るストローク表示システムと異なり、複数の袋部７ａを有するファイル７の代わりに、上記したように透明シート１４が貼られた資料６を有する。
【００７７】
第３実施形態に係るストローク表示システムも、第１実施形態に係るストローク表示システムと同様に利用される。具体的には、ユーザは、透明シート１４が適切に貼られた資料６を用いて、電子ペン１によって透明シート１４の表面に手書きストロークを記入しながら、プレゼンテーションを行う。この場合、ユーザは、透明シート１４を透して資料６を視認して、当該資料６の対応する箇所に手書きストロークを記入する。また、ユーザは、例えば、透明シート１４が貼られた複数の資料６を順に移動させていくことで、実行するプレゼンテーションに応じた資料６が手前にくるようにする。そして、コンピュータ装置２は、上記のように電子ペン１によって手書きストロークが記入された場合に、当該手書きストロークをプレゼンアプリ上に表示させる。また、コンピュータ装置２は、手書きストロークが記入されたページが現在表示されていない場合には、当該手書きストロークが記入されたページを表示させる。なお、コンピュータ装置２は、第１実施形態と同様に、図７に示した処理フローを実行するものとする。
【００７８】
以上説明した第３実施形態によれば、ドットパターン及び弱粘着層が形成された透明シート１４のみを作成すれば良いため、ストローク表示システムをより簡便に実現することが可能となる。具体的には、第１実施形態のようにドットパターンが形成されたファイル７を作成する場合と比較して、第３実施形態に係る透明シート１４は、容易かつ安価に作成することができる。また、第２実施形態のように透明シート１１と資料６とを重ねてファイル１２に差し込む作業と比較して、第３実施形態では、透明シート１４を資料６に貼り付ける作業のみを行えば良いため、作業を簡略化することができる。さらに、ドットパターンと重ねられた資料６とが使用中にずれてしまうようなことがなく、手書きストロークをプレゼンアプリ上に精度よく表示させることができる。
【００７９】
＜第４実施形態＞
次に、本発明に係る第４実施形態について説明する。第４実施形態は、ドットパターンが形成された複数の透明シートを有するシートセットを用いる点で、第２及び第３実施形態と同様である。しかしながら、第４実施形態では、綴じるために用いられる穴が形成された透明シートを用いる点で、第２及び第３実施形態と異なる。具体的には、第４実施形態では、複数の透明シートの各々を対応する資料６の上に重ねて、このような透明シートと資料６とを重ねた状態にある複数のセットを一まとまりにして、透明シート及び資料６に形成された穴を用いて綴じる。
【００８０】
なお、以下では、第１実施形態で示した符号と同一の符号を付した構成要素などについては同様の意味を有するものとして、その詳細な説明を省略する。また、特に説明しない構成要素や処理などについては、第１実施形態と同様であるものとする。
【００８１】
図１０は、第４実施形態を具体的に説明するための図を示す。図１０（ａ）は、第４実施形態に係る透明シート１７の利用方法を説明するための図を示す。シートセット１６は、下に重ねられた資料６に記載された内容が透けて視認されるように構成された、複数の透明シート１７を有する。例えば、透明シート１７は、透明なポリプロピレンシートで構成されている。複数の透明シート１７は、プレゼンアプリで使用されるページに対応付けられた、それぞれで異なるユニークなドットパターンが形成されている。また、複数の透明シート１７は、綴じるために用いられる２つの穴１７ａが形成されている。なお、第４実施形態では、資料６についても、透明シート１７に形成された穴１７ａと同様の位置に、穴６ａが形成される。これらの穴１７ａ及び穴６ａは、例えば、パンチによって開けられたパンチ穴に相当する。
【００８２】
複数の透明シート１７は、それぞれ、プレゼンアプリで使用されるページに対応する資料６の表側の面に重ねられる。言い換えると、複数の透明シート１７及び複数の資料６が、対応する透明シート１７と資料６とを交互に重ねた状態にされる。そして、このように対応する透明シート１７と資料６とを交互に重ねた状態で、透明シート１７に形成された穴１７ａ及び資料６に形成された穴６ａのそれぞれにリング（留め具）１８を挿入することで綴じられる。具体的には、透明シート１７及び資料６は、透明シート１７及び資料６の各々に２つ形成された穴１７ａ、６ａに２つのリング１８が挿入されることで固定される。この場合、全ての資料６の表側が同じ方向を向くように、透明シート１７及び資料６が綴じられる。このように透明シート１７及び資料６が綴じられた状態では、透明シート１７を透して資料６に印刷された内容がユーザに視認されることとなる。
【００８３】
図１０（ｂ）は、第４実施形態に係るストローク表示システムの構成を示す。第４実施形態に係るストローク表示システムも、第１実施形態に係るストローク表示システムと同様に、電子ペン１、コンピュータ装置２、プリンタ３、プロジェクタ４、及びスクリーン５を有する。しかしながら、第４実施形態に係るストローク表示システムは、第１実施形態に係るストローク表示システムと異なり、複数の袋部７ａを有するファイル７の代わりに、上記したようにリング１８によって綴じられた透明シート１７及び資料６を有する。
【００８４】
第４実施形態に係るストローク表示システムも、第１実施形態に係るストローク表示システムと同様に利用される。具体的には、ユーザは、リング１８によって適切に綴じられた状態にある透明シート１７及び資料６を用いて、電子ペン１によって透明シート１７の表面に手書きストロークを記入しながら、プレゼンテーションを行う。この場合、ユーザは、透明シート１７を透して資料６を視認して、当該資料６の対応する箇所に手書きストロークを記入する。また、ユーザは、１セットとなっている透明シート１７及び資料６の両方をめくることで、実行するプレゼンテーションに応じた資料６のページを開く（この場合、当該資料６に対応する透明シート１７が手前にくる）。そして、コンピュータ装置２は、上記のように電子ペン１によって手書きストロークが記入された場合に、当該手書きストロークをプレゼンアプリ上に表示させる。また、コンピュータ装置２は、手書きストロークが記入されたページが現在表示されていない場合には、当該手書きストロークが記入されたページを表示させる。なお、コンピュータ装置２は、第１実施形態と同様に、図７に示した処理フローを実行するものとする。
【００８５】
以上説明した第４実施形態によれば、ドットパターン及び穴１７ａが形成された透明シート１７のみを作成すれば良いため、ストローク表示システムをより簡便に実現することが可能となる。具体的には、第１実施形態のようにドットパターンが形成されたファイル７を作成する場合と比較して、第４実施形態に係る透明シート１７は、容易かつ安価に作成することができる。更に、第２実施形態のように透明シート１１と資料６とを重ねてファイル１２に差し込む作業と比較して、また、第３実施形態のように透明シート１４を資料６に貼り付ける作業と比較して、第４実施形態では、対応する透明シート１７と資料６とを交互に重ねて綴じる作業のみを行えば良いため、作業を簡略化することができる。さらに、第１実施形態と同様に、１セットとなっている透明シート１７及び資料６の並び順が使用中にバラバラになってしまうようなことがなく、スムーズに使用する資料６のページを開くことができる。
【００８６】
なお、上記では、資料６及び透明シート１７の各々に２つ形成された穴６ａ、１７ａを用いて資料６及び透明シート１７を綴じる例を示したが、このような２つの穴を用いる代わりに、１つあるいは３つ以上の穴を用いて資料６及び透明シート１７を綴じることとしても良い。また、上記ではリング１８を用いて資料６及び透明シート１７を綴じる例を示したが、リング１８を用いて綴じることに限定はされない。例えば、リング１８の代わりに、紐などを用いて、資料６及び透明シート１７を綴じても良い。
【００８７】
＜変形例＞
以下では、上記した実施形態の変形例について説明する。
【００８８】
［変形例１］
変形例１では、上記したような袋部７ａないし透明シート１１、１４、１７の表面を、透明ニスでコーティングする。図１１は、変形例１を説明するための図を示す。図１１（ａ）〜（ｃ）は、表面が透明ニスでコーティングされた状態にある袋部７ａの片面ないし透明シート１１、１４、１７の断面構造を示す。図１１（ａ）〜（ｃ）では、符号５１は、例えばポリプロピレンシートなどの基材フィルムを示し、符号５２は、ドットを示し、符号５３は、透明ニス層を示している。図１１（ａ）に示す例では、電子ペン１による筆記側の基材フィルム５１上にドットパターン（ドット５２）が形成されていると共に、基材フィルム５１及びドット５２の上に透明ニス層５３が形成されている。図１１（ｂ）に示す例では、電子ペン１による筆記がなされない基材フィルム５１上にドットパターン（ドット５２）が形成されていると共に、電子ペン１による筆記側（ドットパターンが形成された側と逆側）の基材フィルム５１上に透明ニス層５３が形成されている。図１１（ｃ）に示す例では、ドットパターン（ドット５２）が基材フィルム５１で挟み込まれるように形成されていると共に、電子ペン１による筆記側の基材フィルム５１上に透明ニス層５３が形成されている。
【００８９】
上記のように透明ニスでコーティングされた袋部７ａないし透明シート１１、１４、１７は、例えば電子ペン１がインクユニットを有している場合に好適に適用することができる。この場合、ユーザが手書きストロークを記入すると、表面の透明ニス層５３にインクが付着する。つまり、透明ニス層５３はインクをはじくことなく、インクをある程度吸収する。そのため、変形例１によれば、袋部７ａないし透明シート１１、１４、１７の表面に、適切に文字や図形などを記入することができる。
【００９０】
また、このように透明ニス層５３に付着したインクは、透明ニスの特性により、消しゴムなどで適切に除去することができる。そのため、変形例１によれば、インクユニットを有する電子ペン１によって手書きストロークが記入されたとしても、記入されたインクを消しゴムなどで除去することにより、袋部７ａないし透明シート１１、１４、１７を複数回利用することが可能となる。なお、上記のような透明ニス層５３を袋部７ａないし透明シート１１、１４、１７に形成しない場合にも、図１１（ｂ）又は図１１（ｃ）に示したような構成を袋部７ａの片面ないし透明シート１１、１４、１７に適用した場合には、電子ペン１のペン先でドット５２が擦られることがないため、ドットパターンの耐久性を向上させることができる。
【００９１】
なお、変形例１は、上記した第１乃至第４実施形態の全てに適用することに限定はされず、第１乃至第４実施形態のいずれか１つ以上の実施形態に適用することができる。また、変形例１は、後述する変形例２乃至５にも適用することができる。
【００９２】
［変形例２］
変形例２では、上記したようにプレゼンアプリで使用されるページに対応付けられたユニークなドットパターンが形成された透明シートが、資料６を挟んで保持可能に構成されている。図１２は、変形例２に係る透明シート６０の具体例を示す図である。図１２に示すように、透明シート６０は、資料６を挟むことが可能に構成されていると共に、挟んだ資料６に記載された内容が透けて視認されるように透明に構成されている。言い換えると、透明シート６０は、所謂クリアファイルに相当する。例えば、透明シート６０は、透明なポリプロピレンシートで構成されている。また、透明シート６０は、片面又は両面に、プレゼンアプリで使用されるページに対応付けられた、それぞれで異なるユニークなドットパターンが形成されている。
【００９３】
このような変形例２は、上記した第４実施形態に好適に適用することができる。具体的には、図１２に示すように、変形例２に係る透明シート６０に穴６０ａを形成することで、第４実施形態を適用することができる。詳しくは、穴６０ａは、透明シート６０の開放されている側の端に形成される。この場合、複数の透明シート６０の各々に対応する資料６を挟んで、このような対応する資料６を挟んだ状態にある透明シート６０の組を複数組で一まとまりにして、透明シート６０及び資料６に形成された穴を用いてリング１８等で綴じることができる。なお、変形例２を第４実施形態に適用する場合には、資料６には穴が形成されていなくてもよい。これは、透明シート６０の開放されている側に穴６０ａが形成されているので、資料６を挟んで複数セットを綴じた状態において、資料６が透明シート６０から脱落しないからである。
【００９４】
［変形例３］
変形例３では、上記したようにプレゼンアプリで使用されるページに対応付けられたユニークなドットパターンが形成されたシートが、トレーシングペーパーで構成されている。また、変形例３では、このようなトレーシングペーパー上に方眼メッシュが形成されている。
【００９５】
図１３は、変形例３に係るシート７０の一例を示す図である。シート７０は、トレーシングペーパーで構成されていると共に、トレーシングペーパー上に方眼メッシュ７０ｂが形成されている。方眼メッシュ７０ｂは、赤外域に吸収性を持たないインキによって印刷されている。また、シート７０は、資料６を挟むことが可能に構成されている。シート７０はトレーシングペーパーで構成されているため、シート７０に資料６を挟んだ状態では、挟み込まれた資料６に記載された内容が透けて視認されることとなる。また、シート７０は、片面又は両面に、プレゼンアプリで使用されるページに対応付けられた、それぞれで異なるユニークなドットパターンが形成されている。
【００９６】
このような変形例３は、上記した第４実施形態に適用することができる。具体的には、図１３に示すように、変形例３に係るシート７０に穴７０ａを形成することで、第４実施形態を適用することができる。詳しくは、穴７０ａは、シート７０の開放されている側の端に形成される。この場合、複数のシート７０の各々に対応する資料６を挟んで、このような対応する資料６を挟んだ状態にあるシート７０の組を複数組で一まとまりにして、シート７０及び資料６に形成された穴を用いてリング１８等で綴じることができる。なお、変形例３を第４実施形態に適用する場合には、資料６には穴が形成されていなくてもよい。これは、シート７０の開放されている側に穴７０ａが形成されているので、資料６を挟んで複数セットを綴じた状態において、資料６がシート７０から脱落しないからである。また、方眼メッシュ７０ｂが形成されるシート７０は、トレーシングペーパーに限られず、透明シートやクリアファイルなどであってもよい。
【００９７】
また、変形例３は、上記した第１乃至第３実施形態にも適用することができる。第１実施形態に変形例３を適用する場合には、ファイル７の袋部７ａを、ポリプロピレンシートなどで構成する代わりにトレーシングペーパーで構成し、当該トレーシングペーパー上に方眼メッシュを形成することで、これを実現することができる。また、第２実施形態に変形例３を適用する場合には、透明シート１１を、ポリプロピレンシートなどで構成する代わりにトレーシングペーパーで構成し、当該トレーシングペーパー上に方眼メッシュを形成することで、これを実現することができる。また、第３実施形態に変形例３を適用する場合には、透明シート１４を、ポリプロピレンシートなどで構成する代わりにトレーシングペーパーで構成し、当該トレーシングペーパー上に方眼メッシュを形成することで、これを実現することができる。第３実施形態に変形例３を適用する場合には、トレーシングペーパーの片側の面に弱粘着層が形成される。なお、変形例３を第１乃至第３実施形態に適用する場合にも、方眼メッシュ７０ｂが形成されるシート７０は、トレーシングペーパーに限られず、透明シートやクリアファイルなどであってもよい。
【００９８】
以上説明した変形例３によれば、ユーザは、電子ペン１による手書きストロークを記入する際に、トレーシングペーパー上に形成された方眼メッシュを利用することで、図形や数式などを容易にきれいに記入することが可能となる。なお、変形例３は、後述する変形例４及び５にも適用することができる。
【００９９】
［変形例４］
図１４は、変形例４に係る透明シート８０を示している。図１４に示すように、変形例４に係る透明シート８０は、下に重ねられた資料６に記載された内容が透けて視認されるように構成されていると共に、資料６を差し込むことができる切込み８０ａが２箇所に形成されている。具体的には、２つの切込み８０ａは、資料６の対角線上に位置する２つの隅に対応する、透明シート８０上の位置に形成されている。例えば、透明シート８０は、透明なポリプロピレンシートで構成されている。また、透明シート８０は、プレゼンアプリで使用されるページに対応付けられた、それぞれで異なるユニークなドットパターンが形成されている。変形例４に係る透明シート８０は、裏側に資料６が位置するように、つまり透明シート８０の面が資料６の面より前側に位置するように、切込み８０ａによって資料６が差し込まれる。
【０１００】
このような変形例４は、上記した第２及び第４実施形態に適用することができる。変形例４を第２実施形態に適用する場合には、対応する資料６が切込み８０ａによって差し込まれた状態にある透明シート８０の複数のセットを、それぞれ、ファイル１２の袋部１２ａに差し込むことで実現することができる。また、変形例４を第４実施形態に適用する場合には、透明シート８０に第４実施形態で示したものと同様の穴を形成し、対応する資料６が切込み８０ａによって差し込まれた状態にある透明シート８０の複数のセットを複数組で一まとまりにして、透明シート８０及び資料６に形成された穴を用いてリング１８等で綴じることで実現することができる。なお、変形例４を第４実施形態に適用する場合には、資料６には穴が形成されていなくても良い。
【０１０１】
［変形例５］
図１５は、変形例５に係る透明シート９０を示している。図１５（ａ）に示すように、変形例５に係る透明シート９０は、下に重ねられた資料６に記載された内容が透けて視認されるように構成されていると共に、資料６を差し込むことができる三角形状の透明パッチシール９０ａが２箇所に設けられている。具体的には、２つの透明パッチシール９０ａは、資料６の対角線上に位置する２つの隅に対応する、透明シート９０上の位置に貼り付けられている。この場合、２つの透明パッチシール９０ａは、透明シート９０の裏側に貼り付けられている。例えば、透明シート９０は、透明なポリプロピレンシートで構成されている。また、透明シート９０は、プレゼンアプリで使用されるページに対応付けられた、それぞれで異なるユニークなドットパターンが形成されている。
【０１０２】
図１５（ｂ）は、透明パッチシール９０ａの一例（以下、「透明パッチシール９０ａ１」と表記する。）を示している。透明パッチシール９０ａ１は、１枚構造で構成されており、符号９０ａ１ａで示す２辺に粘着剤又は接着剤が形成され、この部分で透明シート９０に貼り付けられる。図１５（ｃ）は、透明パッチシール９０ａの他の例（以下、「透明パッチシール９０ａ２」と表記する。）を示している。透明パッチシール９０ａ２は、２辺が閉じられることで袋状に構成されており、外側の片面の略全体に粘着剤又は接着剤が形成され、この部分で透明シート９０に貼り付けられる。なお、以下では、透明パッチシール９０ａ１、９０ａ２の区別をしない場合には単に「透明パッチシール９０ａ」と表記する。
【０１０３】
このような変形例５は、上記した第２及び第４実施形態に適用することができる。変形例５を第２実施形態に適用する場合には、対応する資料６が透明パッチシール９０ａによって差し込まれた状態にある透明シート９０の複数のセットを、それぞれ、ファイル１２の袋部１２ａに差し込むことで実現することができる。また、変形例５を第４実施形態に適用する場合には、透明シート９０に第４実施形態で示したものと同様の穴を形成し、対応する資料６が透明パッチシール９０ａによって差し込まれた状態にある透明シート９０の複数のセットを複数組で一まとまりにして、透明シート９０及び資料６に形成された穴を用いてリング１８等で綴じることで実現することができる。なお、変形例５を第４実施形態に適用する場合には、資料６には穴が形成されていなくても良い。
【符号の説明】
【０１０４】
１…電子ペン
２…コンピュータ装置
２４…処理手段
２５…記憶手段
３…プリンタ
４…プロジェクタ
５…スクリーン
６…資料
７、１２…ファイル
７ａ、１２ａ…袋部
１０、１３、１６…シートセット
１１、１４、１７、６０、８０、９０…透明シート
１８…リング（留め具）
７０…シート
７０ｂ…方眼メッシュ
【図２】
2012098937.tif 000003
【図３】
2012098937.tif 000004
【図４】
2012098937.tif 000005
【図５】
2012098937.tif 000006
【図６】
2012098937.tif 000007
【図７】
2012098937.tif 000008
【図１１】
2012098937.tif 000009
【図１２】
2012098937.tif 000010
【図１３】
2012098937.tif 000011
【図１４】
2012098937.tif 000012
【図１５】
2012098937.tif 000013
【図１】
2012098937.tif 000014
【図８】
2012098937.tif 000015
【図９】
2012098937.tif 000016
【図１０】
2012098937.tif 000017